(57)【要約】      （修正有）【課題】一つの部品で一体的に構成し、大小様々な大きさの一般的な箸に使用でき、手が不自由な人や子供等が箸を使用する際の補助具としての箸連結具を提供する。【解決手段】一対の箸を連結するための弾力性のある材料により一体的に形成された箸連結具であって、箸連結具には、一対の箸の各々の根元が挿通する第一差し込み穴２ａ、２ｂと、第一の差し込み穴より直径が小さく、かつ切り込みを備えるとともに、第一の差し込み穴よりも先端側に配置された第二の差し込み穴３ａ、３ｂと、対となる第一、第二差し込み穴を固定し、装着する箸頭部側に支点を有し、弾力性のある材料でピンセット状に一体的に構成し、箸を連結した状態では、箸の先端が広がるようにしてあることを特徴とする。【選択図】図１
0003195547.tif 000002
【実用新案登録請求の範囲】
【請求項１】
一対の箸連結するための弾力性のある材料により一体的に形成された箸連結具であって、
当該箸連結具には、前記一対の箸の各々の根元が挿通する第一挿通穴と、
前記第一の挿通穴より直径が小さく、かつ切り込みを備えるとともに、
前記第一の挿通穴よりも先端側に配置された第二の挿通穴とを備え、
箸を連結した状態では、箸の先端が広がるようにしてある箸連結具。
【請求項２】
前記第一挿通穴の内側は多角形である請求項１記載の箸連結具。
【考案の詳細な説明】
【技術分野】
【０００１】
本考案は、食事をする際に使用できるものであり、手が不自由な人や子供等が箸を使用する際の補助具に関し、特に箸を一体的に構成するための箸連結具に関するものである。  
【背景技術】
【０００２】
和食や日本での食事には箸は必要な道具であり、文化である。箸をピンセット、トング等のように、一体的に構成し使用可能にすることにより箸の先端が正対し、箸を正常に使用することが困難な手の不自由な人や子供等が箸で物を挟むことが容易にできるものである。
【０００３】
従来、考案されているものには、金属やネジやゴムを使用しない、取り外しが可能かつ、様々な大きさの箸に使用可能な箸連結具がなかった。箸連結具としては特許文献１に示されるようにスプリングと固定部を備えたものが開示されているが複数の部品や専用の箸が必要である。
【先行技術文献】
【特許文献】
【０００４】
【特許文献１】実用新案登録第３１４９２２３号
【考案の概要】
【考案が解決しようとする課題】
【０００５】
金属、ネジ、ゴム等を使わず、一つの部品で一体的に構成し、大小様々な大きさの一般的な箸に使用できるものがないという問題があった。
【課題を解決するための手段】
【０００６】
２本で一対の箸に、金属、ネジ、ゴムを使用しないで、使用素材の摩擦力、抵抗力、伸縮性等を利用して、箸本体が常時開放する設計にした左右対称の一つの部品で構成された箸連結具を取り付け、箸を一体化することでピンセットのような動作をさせる。
【０００７】
箸に箸連結具を取り付けるために、箸を差し込むための差し込み穴を設計した。
差し込み穴２ａ、２ｂは大きい箸が入る大きさの繋がった多角形に設計し、切り込み入り差し込み穴３ａ、３ｂは差し込み穴２ａ、２ｂ２に対して小さく設計し小さい箸が抜け落ちない大きさの多角形に設計した。切り込み入り差し込み穴３ａ、３ｂは切り込みスリット５ａを入れ箸の大きさに合わせて広がるようにすることにより伸縮力が向上し大きい箸も入る構造にしており、一般的な大小様々な大きさの箸に使用できる。
【０００８】
本考案の箸連結具は樹脂状のものにより一体的に構成しているため部品等がなくなることがない。本考案の箸連結具を使用したことにより２本の箸が一体化しピンセットのような動作をすることにより箸で物を挟む、掴むことが容易にできる。さらに差し込み穴を多角形にしたことで箸本体が固定され、使用時にずれなくなった。これらのことにより手が不自由な人にも箸が使いやすくなった。
【図面の簡単な説明】
【０００９】
【図１】本考案の実施の形態に係る箸連結具を示す図
【図２】図１のＡ方向から見た図
【図３】本考案の箸連結具の使用状態を示した図
【考案を実施するための形態】
【実施例】
【００１０】
本考案の実施の形態について図１から図３を用いて説明する。
図１は本考案の実施の形態に係る箸連結具を示す図であり、図２は図１のＡ方向から見た図であり、図３は本考案の箸連結具の使用状態を示した図である。
【００１１】
図１に示すように本考案は、可動部４を頂点とした逆Ｖ字状の樹脂状の板と、前記Ｖ字状の腕の部分にそれぞれ差し込み穴２ａ、２ｂと切り込み入り差し込み穴３ａ、３ｂを設けた構造である。また切り込み入り差し込み穴３ａ、３ｂはＶ字状樹脂の先端に配置し、差し込み穴２ａ、２ｂは可動部４と切り込み入り差し込み穴３ａ、３ｂの間に配置する。以上説明したように本考案による箸連結具は樹脂状のもので一体的に構成している。
【００１２】
次に図２を用いて差し込み穴２ａ、２ｂと切り込み入り差し込み穴３ａ、３ｂの構造を説明する。差し込み穴２ａ、２ｂは、円筒形で中を多角形状にくりぬいた構造をしており円筒形の一部がＶ字状の樹脂の板に接続されている。上述したように円筒形の中を多角形状にくりぬいた構造をしているため摩擦が生まれ箸本体が固定され、使用時にずれなくなる。一方を切り込み入り差し込み穴３ａ、３ｂは差し込み穴２ａ、２ｂと同様の構造をしており円筒形の一部に切り込み５ａを設け、Ｖ字状の樹脂の板の先端部分に接続している。
【００１３】
図３を用いて本考案による箸連結具を実際に使用した状態を説明する。
箸１ａ、１ｂを差し込み穴２ａ、２ｂと切り込み入り差し込み穴３ａ、３ｂに箸１ａ、１ｂの根元付近まで差し込み使用する。箸１ａ、１ｂは本考案の箸連結具によりハの字状に先端が広がった状態になる。使用者は本箸連結具を使用する場合、可動部４は左右対称に常時開放し、箸１ａ、１ｂで物を掴む力を加えると閉じる動きをし、箸１ａ、１ｂで物を掴む力を緩めると開く動きをする。
【００１４】
図３の切り込み入り差し込み穴３ａ、３ｂに切り込みスリット５ａにより箸１ａ、１ｂを差し込んだ時に切り込み入り差し込み穴３ａ、３ｂが広がる仕組みになっており、箸の大きさに合わせて広がる為、大小様々な箸に使用可能である。また本考案は一体的に構成した箸連結具であるため使用状態において一部の部品等が欠落することはない。
【産業上の利用可能性】
【００１５】
箸を使用する際に補助具を必要とする人に補助具の提供。
【符号の説明】
【００１６】
１ａ、１ｂ    箸
２ａ、２ｂ    差し込み穴
３ａ、３ｂ    切り込み入り差し込み穴
４            可動部
５ａ          切り込みスリット
【図１】
0003195547.tif 000003
【図２】
0003195547.tif 000004
【図３】
0003195547.tif 000005
【手続補正書】
【提出日】平成26年11月18日(2014.11.18)
【手続補正１】
【補正対象書類名】実用新案登録請求の範囲
【補正対象項目名】全文
【補正方法】変更
【補正の内容】
【実用新案登録請求の範囲】
【請求項１】
一対の箸を連結するための弾力性のある材料により一体的に形成された箸連結具であって、当該箸連結具には、前記一対の箸の各々の根元が挿通する第一差し込み穴と、前記第一の差し込み穴より直径が小さく、かつ切り込みを備えるとともに、前記第一の差し込み穴よりも先端側に配置された第二の差し込み穴と、前記対となる第一、第二差し込み穴を固定し、装着する箸頭部側に支点を有し、弾力性のある材料でピンセット状に一体的に構成してなる、
箸を連結した状態では、箸の先端が広がるようにしてある箸連結具。
【請求項２】
前記第一差し込み穴の内側は多角形である請求項１記載の箸連結具。